(57)【要約】【課題】補助キャビネットとキャビネットを折り畳んだ状態でも、使用者に音が聞こえる電気機器を提供する。【解決手段】平面型スピーカユニット7は、フレーム1内に、音声を出力する振動板2と、該振動板2を振動させる振動供給部4と、振動板2に重なって情報を示す表示装置3を具え、振動板2及び表示装置3には、夫々透明な第１、第２保護パネル5、50が被さる。両保護パネル5、50には、振動板2から発する音声波の通過を許す放音孔51、51が開設されている。電気機器は、平面型スピーカユニット7をキャビネット8に取り付け、キャビネット8には補助キャビネット80がヒンジ81接続され、補助キャビネット80とキャビネット8を折り畳んだ状態にて、表示装置3側の放音孔51が補助キャビネット80に塞がれる。【選択図】    図３
2005269479.tif 000002
【特許請求の範囲】
【請求項１】
フレーム(１)内に、音声を出力する振動板(２)と、該振動板(２)を振動させる振動供給部(４)と、振動板(２)に重なって情報を示す表示装置(３)を具えた平面型スピーカユニット(７)を、キャビネット(８)に取り付けられた透明な第１保護パネル(５)及び第２保護パネル(50)間に配置した電気機器に於いて、
両保護パネル(５)(50)は、振動板(２)及び表示装置(３)を挟んで互いに反対側に位置し、
両保護パネル(５)(50)又は、キャビネット(８)の両保護パネル(５)(50)の周辺部には、振動板(２)から発する音声波の通過を許す放音孔(51)(51)が開設されたことを特徴とする電気機器。
【請求項２】
表示装置(３)と第２保護パネル(50)との間には、補助表示装置(30)が設けられた請求項１に記載の電気機器。
【請求項３】
キャビネット(８)には補助キャビネット(80)がヒンジ(81)接続され、補助キャビネット(80)とキャビネット(８)を折り畳んだ状態にて、表示装置(３)側の放音孔(51)が補助キャビネット(80)に塞がれる請求項１又は２に記載の電気機器。
【請求項４】
キャビネット(８)内に、音声を出力する振動板(２)と、該振動板(２)を振動させる振動供給部(４)と、振動板(２)に重なって情報を示す表示装置(３)を具え、表示装置(３)及び振動板(２)には、夫々透明な第１保護パネル(５)及び第２保護パネル(50)が被さり、
両保護パネル(５)(50)は、振動板(２)及び表示装置(３)を挟んで互いに反対側に位置し、  両保護パネル(５)(50)又は、キャビネット(８)の該両保護パネル(５)(50)の周辺部には、振動板(２)から発する音声波の通過を許す放音孔(51)(51)が開設されたことを特徴とする電気機器。
【請求項５】
フレーム(１)内に、音声を出力する振動板(２)と、該振動板(２)を振動させる振動供給部(４)と、振動板(２)に重なって情報を示す表示装置(３)を具え、表示装置(３)及び振動板(２)には、透明な第１保護パネル(５)及び第２保護パネル(50)が被さり、
両保護パネル(５)(50)は、振動板(２)及び表示装置(３)を挟んで互いに反対側に位置し、
両保護パネル(５)(50)又は、フレーム(１)の両保護パネル(５)(50)の周辺部には、振動板(２)から発する音声波の通過を許す放音孔(51)(51)が開設されたことを特徴とする平面型スピーカユニット。
【請求項６】
表示装置(３)と第２保護パネル(50)との間には、補助表示装置(30)が設けられた請求項５に記載の平面型スピーカユニット。
【請求項７】
請求項５又は６に記載の平面型スピーカユニット(７)をキャビネット(８)に取り付け、キャビネット(８)には補助キャビネット(80)がヒンジ(81)接続され、補助キャビネット(80)とキャビネット(８)を折り畳んだ状態にて、表示装置(３)側の放音孔(51)が補助キャビネット(80)に塞がれる電気機器。
【発明の詳細な説明】
【技術分野】
【０００１】
本発明は、平面型スピーカユニット、及び該平面型スピーカユニットを具えた携帯電話等の電気機器に関する。
【背景技術】
【０００２】
平面型スピーカを具えた携帯電話等の電気機器として、次のようなものが公知である。図７は、該電気機器の斜視図、図８は、図７の電気機器をＢ−Ｂ線を含む面にて破断した断面図、図９は、図８のＣ部の拡大図である(特許文献１参照)。
電気機器のキャビネット(８)内には、クッション(19)を介して、透明な振動板(２)が取り付けられ、該振動板(２)の下方に液晶パネルである表示装置(３)が配備されている。前記キャビネット(８)には、振動板(２)及び表示装置(３)に対向して窓孔(18)が開設されている。これにより、振動板(２)を通して、表示装置(３)の画像を視覚できる。
従来の平面型スピーカは、該振動板(２)と振動供給部(４)から構成されており、振動板(２)の一端部に対応して、振動板(２)を振動させる振動供給部(４)が設けられている。振動供給部(４)は、マグネット部材(41)と、振動板(２)上に設けられたコイル(40)とを具える。マグネット部材(41)は、ケース(44)とヨーク(43)と該ヨーク(43)に覆われるマグネット(42)とによって構成される。
コイル(40)に音声信号に基づく交流信号を流すと、コイル(40)から磁力線が発生する。該磁力線がマグネット(42)(42)(42)の磁界と作用して、振動板(２)が上下に振動する。これにより、振動板(２)から音声が出力される。
【特許文献１】実用新案登録３０７８０２２号
【発明の開示】
【発明が解決しようとする課題】
【０００３】
従来の電気機器では、スピーカの音声は、キャビネット(８)の片側のみに向けて出力される。このような電気機器では、音声が出力される側に障害物があると、該障害物に音声が遮られてしまい、音声が小さくなってしまう問題がある。
また、近年の携帯電話に代表されるような折り畳み型の電気機器(図１参照)では、キャビネット(８)に補助キャビネット(80)をヒンジ(81)接続している。補助キャビネット(80)とキャビネット(８)を折り畳んだ状態で、時刻等の一定の情報が見えるように、主たる表示装置(３)の裏側にサブディスプレイと呼ばれる小型の補助表示装置(30)が設けられている。従来の構成では、補助キャビネット(80)とキャビネット(８)を折り畳んだ状態では、キャビネット(８)からの音声が補助キャビネット(80)に遮られて、音が小さくなり、使用者に聞こえにくい問題があった。
本発明の目的は、音声が出力される方向に障害物があっても、使用者に音声が明瞭に聞こえる平面型スピーカユニット及び電気機器を提供することにある。
【課題を解決するための手段】
【０００４】
平面型スピーカユニット(７)は、フレーム(１)内に、音声を出力する振動板(２)と、該振動板(２)を振動させる振動供給部(４)と、振動板(２)に重なって情報を示す表示装置(３)を具え、振動板(２)及び表示装置(３)には、夫々透明な第１、第２保護パネル(５)(50)が被さり、両保護パネル(５)(50)は、振動板(２)及び表示装置(３)を挟んで互いに反対側に位置し、両保護パネル(５)(50)には、振動板(２)から発する音声波の通過を許す放音孔(51)(51)が開設されている。
電気機器は、平面型スピーカユニット(７)をキャビネット(８)に取り付け、キャビネット(８)には補助キャビネット(80)がヒンジ(81)接続され、補助キャビネット(80)とキャビネット(８)を折り畳んだ状態にて、表示装置(３)側の放音孔(51)が補助キャビネット(80)に塞がれる。
【発明の効果】
【０００５】
両保護パネル(５)(50)又は両保護パネル(５)(50)の周辺のキャビネット(８)部分に、放音孔(51)を設けることにより、一方の放音孔(51)が障害物により塞がれても、他方の放音孔(51)より音声が流れる。これにより、使用者は音声を明瞭に聞くことができる。
【発明を実施するための最良の形態】
【０００６】
(全体構成)
以下、本発明の一例を図を用いて詳述する。
図１は、本例に係わる携帯電話機を開いた状態の斜視図であり、図２は、該携帯電話機を折り畳んだ状態の斜視図である。液晶パネルである表示装置(３)を具えた平面型スピーカユニット(７)は、キャビネット(８)内に取り付けられている。キャビネット(８)には、複数の操作釦(82)(82)を具えた補助キャビネット(80)がヒンジ(81)接続されている。図２に示すように、キャビネット(８)上にて表示装置(３)の裏側には、小型の液晶パネルである補助表示装置(30)が設けられ、該補助表示装置(30)には時刻等の一定の情報が表示される。補助キャビネット(80)とキャビネット(８)とを折り畳み、表示装置(３)が補助キャビネット(80)に塞がれた状態でも、使用者は補助表示装置(30)に表示された情報を見ることができる。
【０００７】
(平面型スピーカユニットの構成)
図３は、図２をＡ−Ａ線を含む面にて破断した断面図である。キャビネット(８)には、平面型スピーカユニット(７)が配置されるスペースが開設されている。キャビネット(８)の上面及び下面には、夫々透明な第１、第２保護パネル(５)(50)が設けられている。
平面型スピーカユニット(７)のフレーム(１)内には、第１保護パネル(５)に対向して前記表示装置(３)が設けられ、表示装置(３)の反対側には補助表示装置(30)が設けられる。
【０００８】
表示装置(３)と第１保護パネル(５)との間には、透明な振動板(２)が設けられており、該振動板(２)の両端部にはコイル(40)(40)が配備されている。即ち、両保護パネル(５)(50)は、振動板(２)及び表示装置(３)を挟んで互いに反対側に位置する。
フレーム(１)には、マグネット部材(41)が取り付けられている。該マグネット部材(41)はヨークとヨークに覆われるマグネットを具えている。コイル(40)に音声信号に基づく交流信号を流すと、コイル(40)から磁力線が発生する。該磁力線がマグネット部材(41)の磁界と作用して、振動板(２)が上下に振動する。
キャビネット(８)の第１、第２保護パネル(５)(50)の周部には、振動板(２)から発生する音声波の通過を許す放音孔(51)(51)が開設されている。これにより、キャビネット(８)の表面又は裏面の何れからでも音声が流れる。
【０００９】
前記の如く、補助キャビネット(80)とキャビネット(８)とを折り畳んだ状態では、表示装置(３)は補助キャビネット(80)に塞がれるから、第２保護パネル(50)に開設された放音孔(51)から発せられる音も小さくなる。しかし、振動板(２)の音は、第１保護パネル(５)に開設された放音孔(51)からも流れるから、使用者には音が明瞭に聞こえる。勿論、補助キャビネット(80)とキャビネット(８)とを開いた状態では、両保護パネル(５)(50)上の放音孔(51)(51)から音が流れる。
【００１０】
また、図４に示すように、平面型スピーカユニット(７)のフレーム(１)に直接第１、第２保護パネル(５)(50)を取り付け、電気機器のキャビネット(８)に設けられた大孔(83)に平面型スピーカユニット(７)を埋め込んでもよい。この場合、フレーム(１)の両保護パネル(５)(50)の周辺部に放音孔(51)(51)を開設してもよい。
上記例では、振動板(２)は、表示装置(３)に対向しているが、図５に示すように、補助表示装置(30)に対向してもよい。
また、図６に示すように、平面型スピーカユニット(７)を設けずに、キャビネット(８)上に直接第１、第２保護パネル(５)(50)を取り付け、キャビネット(８)内に表示装置(３)と補助表示装置(30)、振動板(２)を配備してもよい。
更に、補助キャビネット(80)とキャビネット(８)とを折り畳んだ状態では、第２保護パネル(50)に開設された放音孔(51)は補助キャビネット(80)に塞がれるが、これに代えて、放音孔(51)上にシャッタ(図示せず)を設け、補助キャビネット(80)の開閉に合わせて、該シャッタを電動駆動してもよい。
【００１１】
尚、上記記載では振動板(２)が透明であるとしたが、振動板(２)が表示装置(３)と補助表示装置(30)の間に配備されて(図示せず)、キャビネット(８)の外側から見えないときは、透明でなくともよい。
また、放音孔(51)の開口をメッシュシート(図示せず)にて覆い、防塵又は撥水効果を持たせても良い。
【００１２】
上記例では、振動板(２)にコイル(40)を、フレーム(１)内にマグネット部材(41)を設けているが、振動板(２)にマグネット部材(41)を、フレーム(１)内にコイル(40)を設けてもよい。
更に、表示装置(３)として液晶パネルを例示したが、これに代えて、有機ＥＬ(electroluminescence display)ディスプレイ、無機ＥＬディスプレイでもよい。ここでＥＬディスプレイとは、ガラス基板に発光体を蒸着した周知の構成であり、有機ＥＬディスプレイは発光体にジアミン等の有機物を、無機ＥＬディスプレイは発光体に硫化亜鉛等の無機物を夫々用いる。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、平面型スピーカユニットを携帯電話機に使用することを例示したが、ＰＤＡやデジタルビデオに用いてもよい。
【図面の簡単な説明】
【００１４】
【図１】携帯電話機を開いた状態の斜視図である。
【図２】携帯電話機を折り畳んだ状態の斜視図である。
【図３】図２をＡ−Ａ線を含む面にて破断した断面図である。
【図４】別の携帯電話機のキャビネットの断面図である。
【図５】別の携帯電話機のキャビネットの断面図である。
【図６】別の携帯電話機のキャビネットの断面図である。
【図７】従来の平面型スピーカを具えた電気機器の斜視図である。
【図８】図７の平面型スピーカユニットをＢ−Ｂ線を含む面にて破断した断面図である。
【図９】図８のＣ部の拡大図である。
【符号の説明】
【００１５】
(１)  フレーム
(２)  振動板
(３)  表示装置
(４)  振動供給部
(５)   第１保護パネル
(８)  キャビネット
(50)  第２保護パネル
【図１】
2005269479.tif 000003
【図２】
2005269479.tif 000004
【図３】
2005269479.tif 000005
【図４】
2005269479.tif 000006
【図５】
2005269479.tif 000007
【図６】
2005269479.tif 000008
【図７】
2005269479.tif 000009
【図８】
2005269479.tif 000010
【図９】
2005269479.tif 000011